(57)【要約】      （修正有）【課題】電子装置がペイメントカードにアクセスすることを可能とするインターフェイス装置を提供する。【解決手段】インターフェイス装置１は、ハウジング２と、ハウジング２に動作可能に接続されるスイッチユニット３と、スイッチユニット３によって、ハウジング２に関して動作される回路基板４と、回路基板４の上に配置されるカードインターフェイス６と、電子装置に接続されるための接続インターフェイス５とを備える。接続インターフェイス５および回路基板４は、その内部にペイメントカード１０を包含するためのカードスロット６２を規定するよう協働する。インターフェイス装置１は、接続インターフェイス５がハウジング２に包含される格納状態と、接続インターフェイス５がハウジング２から突出する露出状態とを切り替え操作することが可能である。【選択図】図４
0003194405.tif 000002
【実用新案登録請求の範囲】
【請求項１】
電子装置（９）がインターフェイス装置（１）を経由してペイメントカード（１０）にアクセスすることを可能とするため、前記ペイメントカード（１０）を前記電子装置（９）に連結するための前記インターフェイス装置（１）であって、前記インターフェイス装置（１）は、
ハウジング（２）と、
前記ハウジング（２）に動作可能に接続されるスイッチユニット（３）と、
前記スイッチユニット（３）にマウントされ、前記スイッチユニット（３）によって、前記ハウジング（２）に関して動作される回路基板（４）と、
前記回路基板（４）の上に配置されるカード端子セット（６１）を含むカードインターフェイス（６）と、
前記電子装置（９）の第１のソケット（９１）と電気的に接続されるよう構成され、且つ第１の端子セット（５１）および第１のシェル部材（５２）を含む第１の接続インターフェイス（５）とを備え、
前記第１の端子セット（５１）は、前記回路基板（４）の上に配置され、
前記第１のシェル部材（５２）は、前記スイッチユニット（３）に接続され、且つ前記第１の端子セット（５１）および前記カード端子セット（６１）を囲み、
前記第１のシェル部材（５２）および前記回路基板（４）は、前記ペイメントカード（１０）を包含するためのカードスロット（６２）を規定するよう協働し、その内部では、前記ペイメントカード（１０）が前記カード端子セット（６１）と電気的に接続されるようにされ、
前記インターフェイス装置（１）は、
前記第１の接続インターフェイス（５）が前記ハウジング（２）に包含される格納状態と、前記第１の接続インターフェイス（５）が前記ハウジング（２）から突出する露出状態とを切り替え操作することが可能である、インターフェイス装置（１）。
【請求項２】
前記回路基板（４）は、裏表の第１および第２の表面（４１、４２）を有し、
前記第１の端子セット（５１）は、前記第１の表面（４１）の上に配置され、
前記カード端子セット（６１）は、前記第２の表面（４２）の上に配置され、
前記カードスロット（６２）は、前記第２の表面（４２）と前記第１のシェル部材（５２）とによって、協働して規定される、請求項１に記載のインターフェイス装置（１）。
【請求項３】
前記ペイメントカード（１０）は、複数の標準ピン（１１）と三つの近距離無線通信（ＮＦＣ）ピン（１２）とを含み、
前記カード端子セット（６１）は、
互いに離間して一列に配列され、且つ前記ペイメントカード（１０）の前記標準ピン（１１）と電気的にそれぞれ接続されるよう構成される複数の信号端子（６１１）と、
互いに離間して、前記信号端子（６１１）に関して異なる列で配列され、且つ前記ペイメントカード（１０）の前記ＮＦＣピン（１２）と電気的にそれぞれ接続されるよう構成される二つのＮＦＣ端子（６１２）とを含む、請求項１または請求項２に記載のインターフェイス装置（１）。
【請求項４】
前記ハウジング（２）は、一対の長い面を有する細長い形状を有し、前記長い面それぞれには、開口部（２０１、２０２）が形成され、
前記スイッチユニット（３）は、前記ハウジング（２）の内部に回転自在に配置され、
前記回路基板（４）は、一対の短い面を有する細長い形状を有し、前記短い面の一方が前記第１の接続インターフェイス（５）を備え、
前記インターフェイス装置（１）が前記格納状態のとき、前記回路基板（４）は、実質的に、前記ハウジング（２）に対して平行であり、前記接続インターフェイスを前記ハウジング（２）の内部に包含し、
前記インターフェイス装置（１）が前記露出状態のとき、前記回路基板（４）は、実質的に、前記ハウジング（２）に対して垂直であり、結果として、前記第１の接続インターフェイス（５）が一方の前記開口部（２０１）を貫いて前記ハウジング（２）の外部へ延びる、請求項１から請求項３のいずれかに記載のインターフェイス装置（１）。
【請求項５】
前記第１の接続インターフェイス（５）と異なり、前記電子装置（９）の第２のソケット（９２）と電気的に接続されるよう構成される第２の接続インターフェイス（７）をさらに備え、
前記第２の接続インターフェイス（７）は、
前記回路基板（４）の前記短い面の他方に固定される絶縁板（７１）と、
一部が前記回路基板（４）と電気的に接触して、前記絶縁板（７１）の上に配置される第２の端子セット（７２）と、
前記絶縁板（７１）に接続され、且つ前記第２の端子セット（７２）を覆う第２のシェル部材（７３）とを含み、
前記インターフェイス装置（１）が前記露出状態に切り替えられるとき、前記第２の接続インターフェイス（７）が他方の前記開口部（２０２）を貫いて前記ハウジング（２）の外部へ延びる、請求項４に記載のインターフェイス装置（１）。
【請求項６】
前記ハウジング（２）は、内壁（２１１）と、前記内壁（２１１）から垂直に突出するシャフト（２１２）とを含み、
前記スイッチユニット（３）は、ベース（３１）と、前記ベース（３１）に形成され、且つ前記シャフト（２１２）を回転自在に受け入れるシャフト穴（３３）とを含む、請求項４に記載のインターフェイス装置（１）。
【請求項７】
前記ハウジング（２）は、前記内壁（２１１）の上に配置され、且つ前記シャフト（２１２）から離間する第１の位置決めユニット（２１４）をさらに含み、
前記スイッチユニット（３）は、前記ベース（３１）の上に配置され、且つ前記第１の位置決めユニット（２１４）に噛合するよう形成される複数の第２の位置決めユニット（３５）をさらに含み、
前記第２の位置決めユニット（３５）は、前記シャフト穴（３３）の周りに離間して配置され、且つシャフト穴（３３）を中心として、互いに角度的に（ａｎｇｕｌａｒｌｙ）離間し、隣接する二つの前記第２の位置決めユニット（３５）は、前記シャフト穴（３３）に関して、互いに角度的に（ａｎｇｕｌａｒｌｙ）９０度離間しており、
前記インターフェイス装置（１）が前記格納状態のとき、前記第１の位置決めユニット（２１４）は一方の前記第２の位置決めユニット（３５）と噛合し、前記インターフェイス装置（１）が前記露出状態のとき、前記第１の位置決めユニット（２１４）は、他方の前記第２の位置決めユニット（３５）と噛合する、請求項６に記載のインターフェイス装置（１）。
【請求項８】
前記ハウジング（２）は、実質的に、ディスク形状であり、一対の円形壁（２１、２２）と、前記円形壁（２１、２２）を相互接続し、且つ少なくとも一つの開口部（２０３）が形成される周囲壁（２４）とを含み、
前記インターフェイス装置（１）が前記格納状態のとき、前記スイッチユニット（３）は、一対の前記円形壁（２１、２２）のいずれか一方の上で、前記周囲壁（２４）から離れた内側ポジションに位置し、
前記インターフェイス装置（１）を前記露出状態に切り替えるとき、前記円形壁（２１，２２）のいずれか一方の上で、外側ポジションへと、前記スイッチユニット（３）は、前記周囲壁（２４）に向かって動かされ、前記第１の接続インターフェイス（５）が前記開口部（２０３）を貫いて前記ハウジング（２）の外部へ延びる外側ポジションとなる、請求項１に記載のインターフェイス装置（１）。
【請求項９】
前記円形壁（２１、２２）のいずれか一方を貫いて形成されるスライド溝（２１５）を備え、
前記スイッチユニット（３）は、前記円形壁（２１、２２）のいずれか一方に配置されるユーザー操作可能ユニット（３６）と、前記回路基板（４）をマウントするために前記ハウジング（２）の内部に配置されるベース（３１）とを有し、
前記ユーザー操作可能ユニット（３６）は、
前記ハウジング（２）の外部に配置される手動操作部材（３６１）と、
前記ハウジング（２）の内部に配置され、前記スライド溝（２１５）を貫いて動かない寸法に形成され、且つ前記ベース（３１）に接続される制限部材（３６２）と、
前記スライド溝（２１５）に動作可能に配置され、且つ前記手動操作部材（３６１）と前記制限部材（３６２）とを相互接続する相互接続部材（３６３）とを有する、請求項８に記載のインターフェイス装置（１）。
【請求項１０】
前記周囲壁（２４）には二つの開口部（２０３、２０４）が形成され、
前記インターフェイス装置（１）は、第２の接続インターフェイス（７）をさらに備え、
前記第２の接続インターフェイス（７）は、
前記第１の接続インターフェイス（５）と異なり、前記電子装置（９）の第２のソケット（９２）と電気的に接続されるよう構成され、前記回路基板（４）の前記第１の接続インターフェイス（５）とは反対側にマウントされ、
前記回路基板（４）の上に固定される絶縁板（７１）と、
一部が前記回路基板（４）と電気的に接触して、前記絶縁板（７１）の上に配置される第２の端子セット（７２）と、
前記絶縁板（７１）に接続され、且つ前記第２の端子セット（７２）を覆う第２のシェル部材（７３）とを含み、
前記インターフェイス装置（１）が前記露出状態に切り替えられるとき、前記第２の接続インターフェイス（７）がもう一方の前記開口部（２０４）を貫いて前記ハウジング（２）の外部へ延びる、請求項９に記載のインターフェイス装置（１）。
【考案の詳細な説明】
【技術分野】
【０００１】
本考案は、ペイメントカードと電子装置との間のインターフェイスとして役立つインターフェイス装置に関する。
【背景技術】
【０００２】
従来の携帯用の周辺装置（例えば、フラッシュディスク）は、通常、パーソナルコンピューターなどの電子装置と連結するためのインターフェイス装置（例えば、コネクター）を備える。従来の携帯用の周辺装置は、（例えば、台湾特許第Ｉ３５０９６２号に記述されているように、）ハウジングと、ハウジングの内部に配置される回路基板と、回路基板の上に配置される記憶装置と、インターフェイス装置とを含む場合がある。インターフェイス装置は、回路基板に連結され、且つ部分的にハウジングから露出する。作動中、インターフェイス装置が電子装置に連結されると、電子装置が、記憶装置にアクセスすることが可能となる。
【先行技術文献】
【特許文献】
【０００３】
【特許文献１】台湾特許第Ｉ３５０９６２号
【考案の概要】
【考案が解決しようとする課題】
【０００４】
インターフェイス装置は、電子装置と互換性のないインターフェイスを有する他の電子部品（例えば、メモリーカード、ペイメントカードなど）との間のインターフェイスとして役立ってもよい。
【０００５】
さらに、インターフェイス装置は、機能不全を防止するため、外部衝突から良好に保護されることが望ましい。
【０００６】
それゆえ、本考案の一つの目的は、ペイメントカードと電子装置との間のインターフェイスとして役立つインターフェイス装置を提供することである。
【課題を解決するための手段】
【０００７】
したがって、本考案にかかるインターフェイス装置は、電子装置がインターフェイス装置を経由してペイメントカードにアクセスすることを可能とするため、ペイメントカードを電子装置に連結するためのものである。インターフェイス装置は、ハウジングと、スイッチユニットと、回路基板と、カードインターフェイスと、接続インターフェイスとを含む。
【０００８】
スイッチユニットは、ハウジングに動作可能に接続される。回路基板は、スイッチユニットにマウントされ、且つスイッチユニットによってハウジングに関して動作される。カードインターフェイスは、回路基板の上に配置されるカード端子セットを含む。
【０００９】
接続インターフェイスは、電子装置のソケットと電気的に接続されるよう構成され、且つ端子セットおよびシェル部材を含む。端子セットは、回路基板の上に配置される。シェル部材は、スイッチユニットに接続され、且つ端子セットおよびカード端子セットを囲む。シェル部材および回路基板は、ペイメントカードがカード端子セットと電気的に接続されるように、ペイメントカードをその内部に包含するためのカードスロットを規定するよう協働する。
【００１０】
インターフェイス装置は、接続インターフェイスがハウジングの内部に包含される格納状態と、接続インターフェイスがハウジングから突出する露出状態とを切り替え操作することができる。
【００１１】
本考案の他の特徴および利点は、添付する図面を参照するとともに以下の好ましい実施形態の詳細な説明において明らかとなろう。
【図面の簡単な説明】
【００１２】
【図１】本考案にかかる携帯用のインターフェイス装置アセンブリの第１の好ましい実施形態の格納状態の場合の斜視図である。
【図２】第１の好ましい実施形態にかかる携帯用のインターフェイス装置アセンブリの露出状態の場合の斜視図である。
【図３】第１の好ましい実施形態にかかる携帯用のインターフェイス装置アセンブリの分解斜視図である。
【図４】第１の好ましい実施形態にかかる携帯用のインターフェイス装置アセンブリの、図３とは異なる角度から見る分解斜視図である。
【図５】第１の好ましい実施形態にかかるインターフェイス装置の、ハウジングが省略された分解斜視図である。
【図６】第１の好ましい実施形態にかかるインターフェイス装置の、ハウジングが省略された、図５とは異なる角度から見る分解斜視図である。
【図７】本考案にかかる携帯用のインターフェイス装置アセンブリの第２の好ましい実施形態の格納状態の場合の斜視図である。
【図８】第２の好ましい実施形態にかかる携帯用のインターフェイス装置アセンブリの第１の露出状態の場合を示す斜視図である。
【図９】第２の好ましい実施形態にかかる携帯用のインターフェイス装置アセンブリの第２の露出状態の場合を示す斜視図である。
【図１０】第２の好ましい実施形態にかかるインターフェイス装置アセンブリの分解斜視図である。
【図１１】第２の好ましい実施形態にかかるインターフェイス装置の格納状態の場合を示す断面図である。
【図１２】第２の好ましい実施形態にかかるインターフェイス装置の、ハウジングが省略された、図１０とは異なる角度から見る分解斜視図である。
【図１３】第２の好ましい実施形態にかかるインターフェイス装置の第１の露出状態の場合を示す断面図である。
【図１４】第２の好ましい実施形態にかかるインターフェイス装置の第２の露出状態の場合を示す断面図である。
【考案を実施するための形態】
【００１３】
本考案をより詳しく説明する前に、同様の要素は、開示を通して同じ参照番号で示されることを注意されたい。
【００１４】
図１および図２に示すように、本考案にかかる第１の好ましい実施形態の携帯用のインターフェイス装置アセンブリ１００は、インターフェイス装置１およびペイメントカード１０を含む。電子装置９に、インターフェイス装置１を通じてペイメントカード１０へアクセスできるようにするため、ペイメントカード１０は、インターフェイス装置１に連結される。
【００１５】
図１は、格納状態の場合のインターフェイス装置１を示す。図２は、露出状態の場合のインターフェイス装置１を示す。
【００１６】
電子装置９は、インターフェイス装置１と互換性のあるインターフェイスを含む装置（パーソナルコンピューター、ラップトップコンピューター、携帯電話、スマートテレビジョンなど）として具体化されてもよい。
【００１７】
電子装置９とペイメントカード１０との間の接続が確立されたあと、電子装置９は、売買取引き（ｔｒａｎｓａｃｔｉｏｎ）などの、ペイメントカード１０と関連する機能性の処理を進めることが可能となる。本考案の特徴は、電子装置９が機能性を処理する方法に関する操作に属さないため、簡潔のため、これらの詳細はここでは省略される。
【００１８】
さらに図３および図４を参照して、インターフェイス装置１は、ハウジング２と、スイッチユニット３と、回路基板４と、第１の接続インターフェイス５と、カードインターフェイス６と、第２の接続インターフェイス７とを含む。
【００１９】
この実施形態では、第１の接続インターフェイス５、カードインターフェイス６および第２の接続インターフェイス７は、回路基板４に組み込まれる。他の実施形態では、追加の接続インターフェイスが、回路基板４にさらに組み込まれてもよい。
【００２０】
ハウジング２は、一対の長い面および一対の短い面を有する細長い形状であり（図３を参照）、上壁２１と、底壁２２と、一対の側壁２３とを含む。側壁２３のそれぞれが、上壁２１と底壁２２とを相互接続するために、短い面のいずれか一方にそれぞれ配置される。ロッキング機構（例えば、ワイヤー）がそこを通って伸びることを可能とするため、貫通孔２３１が側壁２３のいずれか一方に形成されてもよい。このようにして、インターフェイス装置１が、アクセサリーアイテムとして、財布または携帯用の装置など他の物に取り付けられることが可能となる。
【００２１】
上壁２１および底壁２２は、長い面において互いに接続されておらず、それによって、長い面に二つの開口部２０１、２０２がそれぞれ形成される。
【００２２】
スイッチユニット３は、ハウジング２に動作可能に接続され、且つ中空ベース３１と、ベース３１の側面から延びるフレーム３２とを含む。この実施形態では、スイッチユニット３は、ハウジング２に回転自在に接続される。スイッチユニット３の操作は、次節において詳細に説明する。
【００２３】
さらに図５および図６を参照して、回路基板４は、裏表の第１および第２の表面４１、４２を有し、ハウジング２と類似する、一対の長い面および一対の短い面で構成される細長い形状を有する。回路基板４は、スイッチユニット３にマウントされる。特に、回路基板４の一部がベース３１に包含され、且つ回路基板４の他の部分がフレーム３２に噛合する。その結果として、回路基板４は、スイッチユニット３によって、ハウジング２に関して動作されることが可能となる。
【００２４】
第１の接続インターフェイス５は、スイッチユニット３のフレーム３２において、回路基板４の短い面のいずれか一方に備えられ、且つ電子装置９の第１のソケット９１と電気的に接続されるよう構成される。第１の接続インターフェイス５は、ユニバーサル・シリアル・バス（ＵＳＢ）２．０またはＵＳＢ３．０規格に準拠してもよい。一方で、第１のソケット９１は、ＵＳＢ２．０またはＵＳＢ３．０規格をサポートするＵＳＢソケットであってもよい（図２を参照）。他の接続規格が、第１の接続インターフェイス５を電子装置９の多様なソケットに接続するための手段として用いられてもよい。
【００２５】
カードインターフェイス６は、回路基板４の上に配置されるカード端子セット６１を含む。第１の接続インターフェイス５は、回路基板４の上に配置される第１の端子セット５１と、第１のシェル部材５２とを含む。第１のシェル部材５２は、スイッチユニット３に接続され、且つ第１の端子セット５１およびカード端子セット６１を囲む。
【００２６】
第１のシェル部材５２および回路基板４の第２の表面４２は、ペイメントカード１０を包含するためのカードスロット６２を規定するよう協働する。それによって、ペイメントカード１０とカード端子セット６１との間の電気的な接続が可能となる。
【００２７】
特に、この実施形態では、ペイメントカード１０は、マイクロ・セキュア・デジタル（ＳＤ）カードを用いて具体化され、複数の標準ピン１１と三つの近距離無線通信（ＮＦＣ）ピン１２とを含む（図３を参照）。言い換えれば、ペイメントカード１０は、ＮＦＣアンテナを組み込まれ、ＮＦＣ通信機能をサポートする。
【００２８】
それに応じて、カード端子セット６１は、複数の信号端子６１１と、三つのＮＦＣ端子６１２とを含む。図６を参照して、８つの信号端子６１１が組み込まれる。
【００２９】
信号端子６１１は、互いに離間しており、一列に配列され、且つペイメントカード１０の標準ピン１１と電気的にそれぞれ接続される。ＮＦＣ端子６１２は、ＮＦＣ仕様（ＳＤ協会発行“ＳＤ仕様パート１  ＮＦＣインターフェイス簡略化追補”）に準拠する。この実施形態では、ＮＦＣ端子６１２は、互いに離間して、信号端子６１１の列に関して異なる列で配列され、且つペイメントカード１０のＮＦＣピン１２と電気的にそれぞれ接続される。
【００３０】
その結果として、インターフェイス装置１に連結されるペイメントカード１０は、ＮＦＣ通信機能をサポートする電子装置と情報交換することが可能となる。ペイメントカード１０がＮＦＣアンテナを組み込まれていない実施形態では、インターフェイス装置１は、電子装置９と協働してＮＦＣ通信機能を実行するために、ＮＦＣ端子６１２と電気的に接続されるＮＦＣアンテナを備えてもよい。
【００３１】
第２の接続インターフェイス７が、第１の接続インターフェイス５と反対側であり、回路基板４の短い面の他方に提供される。第２の接続インターフェイス７は、第１の接続インターフェイス５と異なる。例えば、第１の接続インターフェイス５が、ＵＳＢ２．０またはＵＳＢ３．０規格に準拠する一方で、第２のインターフェイス７は、マイクロＵＳＢまたはミニＵＳＢ規格に準拠してもよい。実際には、第２のインターフェイス７は、電子装置９の第２のソケット９２と電気的に接続されるよう構成されてもよく（図２を参照）、且つ絶縁板７１と、第２の端子セット７２と、第２のシェル部材７３とを含んでもよい。
【００３２】
絶縁板７１は、回路基板４の短い面の他方に固定される。第２の端子セット７２は、一部が回路基板４と電気的に接触して、絶縁板７１の上に配置される。第２のシェル部材７３は、絶縁板７１に接続され、且つ第２の端子セット７２を覆う。
【００３３】
図３および図４を参照して、ハウジング２の上壁２１は、内側上壁２１１と、内側上壁２１１から垂直に突出する頂上シャフト２１２とを含む。頂上シャフト２１２は、二つの離間する頂上シャフト部材２１３を含む。二つの頂上シャフト部材２１３は、型締力が加わるとき、互いに僅かに近づくことができる。ハウジング２の底壁２２は、内側底壁２２１と、内側底壁２２１から垂直に突出し、且つ頂上シャフト２１２に見合わせられる（ｒｅｇｉｓｔｅｒｅｄ）底シャフト２２２とを含む。
【００３４】
スイッチユニット３のベース３１には、頂上シャフト２１２を回転自在に受け入れるための第１のシャフト穴３３と、底シャフト２２２を回転自在に受け入れるための第２のシャフト穴３４とがさらに形成される。
【００３５】
上記した構成を用いて、スイッチユニット３はハウジング２に関して回転することができ、第１の接続インターフェイス５および第２の接続インターフェイス７が、ハウジング２に格納される状態または露出される状態となることを可能とする。すなわち、上記した構成の効果により、インターフェイス装置１は、第１の接続インターフェイス５および第２の接続インターフェイス７がハウジング２に包含される格納状態（図１を参照）と、第１の接続インターフェイス５および第２の接続インターフェイス７がハウジング２から突出する露出状態（図２を参照）とを切り替え操作することが可能となる。
【００３６】
インターフェイス装置１が格納状態のとき、回路基板４は、（そこの上に組み込まれる第１の接続インターフェイス５、カードインターフェイス６および第２の接続インターフェイス７と一緒に、）実質的に、ハウジング２と平行であり、第１の接続インターフェイス５および第２の接続インターフェイス７は、ハウジング２の内部に包含される。インターフェイス装置１が露出状態のとき、回路基板４は、実質的に、ハウジング２と垂直であり、その結果として、第１の接続インターフェイス５および第２の接続インターフェイス７は、それぞれ開口部２０１、２０２を貫いてハウジング２の外部へ延びる。
【００３７】
他の実施形態では、多様な構成が、同様の目的を達成するために、ハウジング２およびスイッチユニット３に適用されてもよい。例えば、一組だけのシャフト２１２およびシャフト穴３３でも十分な場合がある。
【００３８】
スイッチユニット３をハウジング２に関して位置決めするために、追加の位置決め機構を備えてもよい。この実施形態では、ハウジング２は、第１の位置決めユニット２１４をさらに含む（図４を参照）。第１の位置決めユニット２１４は、内壁２１１の上に配置され、頂上シャフト２１２から離間している。スイッチユニット３は、ベース３１の上に配置され、且つ第１の位置決めユニット２１４と噛合するよう形づくられる複数の第２の位置決めユニット３５をさらに含む。特に、第１の位置決めユニット２１４は突出部であり、且つ第２の位置決めユニット３５それぞれは、その突出部と噛合することができる噛合穴である。
【００３９】
図５を参照して、この実施形態では、三つの第２の位置決めユニット３５（３５ａ、３５ｂおよび３５ｃとしてそれぞれ示す）を備える。第２の位置決めユニット３５は、第１のシャフト穴３３の周りに離間して配置され、且つ第１のシャフト穴３３を中心として、互いに角度的に（ａｎｇｕｌａｒｌｙ）離間している。隣接する二つの第２の位置決めユニット３５は、第１のシャフト穴３３に関して、互いに角度的に（ａｎｇｕｌａｒｌｙ）９０度離間している。
【００４０】
インターフェイス装置１が格納状態のとき、第１の位置決めユニット２１４は、第２の位置決めユニット３５のうちの一つ（例えば、３５ａ）に噛合する。代わりに、インターフェイス装置１が露出状態のとき、第１の位置決めユニット２１４は、第２の位置決めユニット３５のうちの他の一つ（例えば、３５ｂまたは３５ｃ）に噛合する。
【００４１】
第２の位置決めユニット３５のうちの一つに噛合するとき、スイッチユニット３の位置決めは、第１の位置決めユニット２１４と第２の位置決めユニット３５のうちの一つとの間の噛合によりなされ、第２の位置決めユニット３５のうちの一つから第１の位置決めユニット２１４が離脱する十分な力が加わるまで、スイッチユニット３のハウジング２に関する回転運動が制止される。
【００４２】
この実施形態において、三つの第２の位置決めユニット３５が備えられる一方で、異なる要求／応用に適応するために組み込むため、他の実施形態において、多様なたくさんの第２の位置決めユニット３５が組み込まれてもよい。
【００４３】
作動中、第１のソケット９１（ＵＳＢ規格ソケット）および第２のソケット９２（マイクロＵＳＢソケット）のみを有し、マイクロＳＤカードリーダーを有しない電子装置９を用いて、ペイメントカード１０（マイクロＳＤカード）にアクセスしたいとき、ペイメントカード１０は、まず、インターフェイス装置１のカードスロット６２に挿入され、且つスイッチユニット３が格納状態から露出状態へと回転する（例えば、９０度）。そのとき、インターフェイス装置１は、第１の接続インターフェイス５を用いる第１のソケット９１、または第２の接続インターフェイス７を用いる第２のソケット９２を経由して、電子装置９に連結される。この方法では、電子装置９が、たとえ、ペイメントカード１０に直接アクセスするための適切なインターフェイスを欠いていたとしても、ペイメントカード１０にアクセスすることが操作可能となる。
【００４４】
図７〜図９は、本考案にかかる第２の好ましい実施形態の携帯用のインターフェイス装置アセンブリ１００を示す。図７は、第２の好ましい実施形態にかかるインターフェイス装置１の格納状態の場合を示す。図８は、第２の好ましい実施形態のインターフェイス装置１の第１の露出状態の場合を示す。この状態においては、第１の接続インターフェイス５が、ハウジング２の外部へ露出する。図９は、第２の好ましい実施形態のインターフェイス装置１の第２の露出状態の場合を示す。この状態においては、第２の接続インターフェイス７が、ハウジング２の外部へ露出する。
【００４５】
この実施形態と先の実施形態との主な違いは、ハウジング２の構成、およびハウジング２とスイッチユニット３との間の相互作用にある。
【００４６】
特に、ハウジング２は、実質的に、ディスク形状であり、且つ一対の円形壁（すなわち、上壁２１および底壁２２）と、周囲壁２４とを含む。周囲壁２４は、円形壁２１、２２を相互接続し、且つ一対の開口部２０３、２０４が形成される。上壁２１には、放射状に延び、且つ上壁２１を貫通するスライド溝２１５が形成される。開口部２０３、２０４は、スライド溝２１５の端部それぞれの近傍に形成され、且つ互いに放射状に対向する。
【００４７】
図１０〜図１２を参照して、スイッチユニット３は、上壁２１の上に配置されるユーザー操作可能ユニット３６と、回路基板４をマウントするため、ハウジング２の内部に配置されるベース３１とをさらに有する。
【００４８】
ユーザー操作可能ユニット３６は、手動操作部材３６１と、制限部材３６２と、相互接続部材３６３とを有する。手動操作部材３６１は、ハウジング２の外部に配置される。
【００４９】
制限部材３６２は、ハウジング２の内部に配置され、且つベース３１に接続される。この実施形態では、この構成が、ベース３１に形成される保持穴３７の内部に適切に制限部材３６２を配置することによりなされる。相互接続部材３６３は、棒形状を有し、スライド溝２１５の内部に動作可能に配置され、且つ手動操作部材３６１と、制限部材３６２とを相互接続する。相互接続部材３６３は、スライド溝２１５の幅よりもわずかに小さいかまたは等しい直径を有する。これは、相互接続部材３６３が、スライド溝２１５の内部をスライドできるようにするためである。相互接続部材３６３の長さは、上壁２１の厚さよりもわずかに大きく構成される。手動操作部材３６１および制限部材３６２は、ユーザー操作可能ユニット３６がハウジング２から離脱することを防止するために、スライド溝２１５を貫いて動くことができない寸法に形成される。
【００５０】
図７および図１１は、インターフェイス装置１の格納状態を示す。ここでは、ユーザー操作可能ユニット３６は、周囲壁２４から放射状に離れて、上壁２１の内側ポジションに位置する。すなわち、ユーザー操作可能ユニット３６は、実質的に、ディスク形状の上壁２１の中心、且つスライド溝２１５の中央に位置する。
【００５１】
図８および図１３は、インターフェイス装置１の第１の露出状態の場合を示す。ここでは、ユーザー操作可能ユニット３６は、（回路基板４およびそこの上に組み込まれる構成要素と一緒に、）スライド溝２１５に沿って、周囲壁２４の開口部２０３へ向かって、上壁２１の上の第１の外側ポジションへと、放射状に動かされる（例えば、ユーザーによって）。第１の接続インターフェイス５は、開口部２０３を貫いてハウジング２の外部へ延びる。
【００５２】
図９および図１４は、インターフェイス装置１の第２の露出状態の場合を示す。ここでは、ユーザー操作可能ユニット３６は、（回路基板４およびそこの上に組み込まれる構成要素と一緒に、）スライド溝２１５に沿って、周囲壁２４の開口部２０４へ向かって、上壁２１の上の第２の外側ポジションへと、放射状に動かされる。第２の接続インターフェイス７は、開口部２０４を貫いてハウジング２の外部へ延びる。
【００５３】
第２の好ましい実施形態は、第１の好ましい実施形態と同様の作用効果を有する。
【００５４】
先の実施形態では、インターフェイス装置１およびペイメントカード１０は、別々の構成要素として考慮された一方で、インターフェイス装置１がその内部にペイメントカード１０を挿入されるとき、インターフェイス装置１と、ペイメントカード１０との組み合わせが、携帯用のインターフェイス装置アセンブリ１００として考慮されてもよい。
【００５５】
要するに、本考案にかかる実施形態は、ペイメントカード１０が、ペイメントカード１０に直接的にアクセスするための適切なインターフェイスを含んでいない電子装置９に連結するための、多様なインターフェイスを提供する。そのうえ、インターフェイス装置１は、ペイメントカード１０とＮＦＣ規格を用いる電子装置９との間の通信を可能とするため、ＮＦＣ規格を組み込んでもよい。さらに、インターフェイス装置１は、格納状態と露出状態とを切り替えられ、内部の構成要素との望ましくない外部衝突が防止されてもよい。
【符号の説明】
【００５６】
１  インターフェイス装置
２  ハウジング
３  スイッチユニット
４  回路基板
５  第１の接続インターフェイス
６  カードインターフェイス
７  第２の接続インターフェイス
９  電子装置
１０  ペイメントカード
１１  標準ピン
１２  ＮＦＣピン
２１  上壁
２２  底壁
２３  側壁
２４  周囲壁
３１  ベース
３２  フレーム
３３  第１のシャフト穴
３４  第２のシャフト穴
３５（３５ａ、３５ｂ、３５ｃ）  第２の位置決めユニット
３６  ユーザー操作可能ユニット
３７  保持穴
４１  第１の表面
４２  第２の表面
５１  第１の端子セット
５２  第１のシェル部材
６１  カード端子セット
６２  カードスロット
７１  絶縁板
７２  第２の端子セット
７３  第２のシェル部材
９１  第１のソケット
９２  第２のソケット
１００  インターフェイス装置アセンブリ
２０１、２０２、２０３、２０４  開口部
２１１  内壁（内側上壁）
２１２  頂上シャフト
２１３  頂上シャフト部材
２１４  第１の位置決めユニット
２１５  スライド溝
２２１  内側底壁
２２２  底シャフト
２３１  貫通孔
３６１  手動操作部材
３６２  制限部材
３６３  相互接続部材
６１１  信号端子
６１２  ＮＦＣ端子
【図１】
0003194405.tif 000003
【図２】
0003194405.tif 000004
【図３】
0003194405.tif 000005
【図４】
0003194405.tif 000006
【図５】
0003194405.tif 000007
【図６】
0003194405.tif 000008
【図７】
0003194405.tif 000009
【図８】
0003194405.tif 000010
【図９】
0003194405.tif 000011
【図１０】
0003194405.tif 000012
【図１１】
0003194405.tif 000013
【図１２】
0003194405.tif 000014
【図１３】
0003194405.tif 000015
【図１４】
0003194405.tif 000016